(57)【要約】【課題】電波式のリモコンとの電波通信を適切に行えるようにしつつ、ペアリングの作業性を向上させた浴室システムを提供する。【解決手段】金属を含む壁によって構成される浴室又は洗面所に設けられる浴室機器と、浴室機器を動作させるための制御信号を送信する電波式の遠隔リモコンと、浴室の外側に設けられ、遠隔リモコンからの制御信号を受信する受信部と、受信部から制御信号を受け、遠隔リモコンからの制御信号に基づいて浴室機器の動作を制御する制御部と、制御部と有線接続される有線リモコンと、を備え、遠隔リモコンは、ペアリングを行うためのペアリング信号を送信可能であり、制御部は、有線リモコンの操作に応じて遠隔リモコンからのペアリング信号を受け付けるペアリング認可モードに移行し、ペアリングされた遠隔リモコンからの制御信号のみを受け付けることを特徴とする浴室システムである。【選択図】図１
2020016386.tif 000002
【特許請求の範囲】
【請求項１】
金属を含む壁によって構成される浴室又は洗面所に設けられる浴室機器と、
前記浴室機器を動作させるための制御信号を送信する電波式の遠隔リモコンと、
前記浴室の外側に設けられ、前記遠隔リモコンからの前記制御信号を受信する受信部と、
前記受信部から前記制御信号を受け、前記遠隔リモコンからの前記制御信号に基づいて前記浴室機器の動作を制御する制御部と、
前記制御部と有線接続される有線リモコンと、
を備え、
前記遠隔リモコンは、ペアリングを行うためのペアリング信号を送信可能であり、
前記制御部は、前記有線リモコンの操作に応じて前記遠隔リモコンからの前記ペアリング信号を受け付けるペアリング認可モードに移行し、ペアリングされた前記遠隔リモコンからの前記制御信号のみを受け付けることを特徴とする浴室システム。
【請求項２】
前記有線リモコンは、ペアリングを許可するか否かを報知可能なペアリング報知部を有し、
前記制御部は、前記受信部において受信された前記ペアリング信号の電波強度が第１閾値を超えた場合に、ペアリングを許可するか否かを前記有線リモコンの前記ペアリング報知部に報知させることを特徴とする請求項１記載の浴室システム。
【請求項３】
前記有線リモコンは、ペアリングを許可するか否かの操作を入力するための操作部を有し、
前記制御部は、前記有線リモコンの前記操作部の操作に応じて、ペアリングの可否を決定することを特徴とする請求項２記載の浴室システム。
【請求項４】
前記制御部は、前記第１閾値よりも低い第２閾値を有し、前記ペアリング認可モードにおいて、前記ペアリング信号の電波強度が前記第１閾値を複数回超えない場合に、前記第２閾値を設定し、前記第２閾値を超えた場合に、ペアリングを許可するか否かを前記有線リモコンの前記ペアリング報知部に報知させることを特徴とする請求項２又は３に記載の浴室システム。
【請求項５】
前記有線リモコンは、ペアリングの完了を報知可能な完了報知部を有し、
前記制御部は、ペアリングの完了に応じて、ペアリングの完了を前記有線リモコンの前記完了報知部に報知させることを特徴とする請求項１〜４のいずれか１つに記載の浴室システム。
【請求項６】
前記制御部は、ペアリングの完了に応じて前記ペアリング認可モードを自動的に終了することを特徴とする請求項１〜５のいずれか１つに記載の浴室システム。
【発明の詳細な説明】
【技術分野】
【０００１】
本発明の態様は、一般的に、浴室システムに関する。
【背景技術】
【０００２】
入浴行為の際に、洗面所と浴室内との温度差によって、使用者の血圧が大きく変動し、使用者が心筋梗塞や脳梗塞などを起こしてしまうことがある。こうした温度差に起因する身体への影響は、例えば、ヒートショックと呼ばれており、ヒートショックを抑制するための技術の開発が行われている。
【０００３】
ヒートショックを抑制するための対策の一例としては、浴室近傍に設けられている浴室機器（暖房装置など）のリモコンを操作して、事前に温度差を低下させることが考えられるが、リビングなどにいる使用者が、その度に浴室や洗面所にリモコンを操作しに行くのは使い勝手が悪い。そこで、リビングなどから浴室機器を操作することができるリモコンが望まれている。さらに、使いやすさを考えると、手持ち式のリモコンが望ましい。
【０００４】
例えば、特許文献１では、赤外線式のリモコンによってリビングなどから浴室機器を操作できるようにしている。しかしながら、特許文献１の技術では、壁などを透過しない赤外線式であるため、リビングなどにリモコンの受信機を配置しなければならない。例えば、受信機をリビングなどから浴室や洗面所などまで配線しなければならず、設置に手間がかかってしまう。そのため、通信方式としては、壁などを透過可能な電波式が望ましい。
【０００５】
しかしながら、浴室の壁には、金属（鋼板）が用いられている場合がある。このため、電波式のリモコンからの信号を受信する受信部を浴室内に設置すると、電波での通信ができなくなってしまう可能性がある。従って、受信部は、どの部屋からもリモコンの電波が届くように浴室の外側に設置する必要がある。受信部の設置場所としては、スペース確保の容易性やメンテナンスの容易性などから、例えば、浴室天井の上が望ましい。
【０００６】
受信部は、受信した信号を浴室機器の制御部に入力する。制御部は、入力された信号に応じて浴室機器の動作を制御する。これにより、リモコンとの電波通信を介して浴室機器の動作が操作される。この際、電波通信を介する浴室機器の操作を適切に行うためには、隣家などから送信された不要な信号による誤動作を抑制するために、制御部とリモコンとを関連付けるペアリングを行う必要がある。ペアリングは、例えば、受信部のペアリングスイッチを押すことによって実行される。この際、上記のように浴室天井の上などに受信部を設置してしまうと、受信部の操作によるペアリングの作業性が、非常に悪くなってしまう。このため、浴室システムでは、電波式のリモコンとの電波通信を適切に行えるようにしつつ、ペアリングの作業性を向上させることが望まれる。
【先行技術文献】
【特許文献】
【０００７】
【特許文献１】特開２００７−１８７３３９号公報
【発明の概要】
【発明が解決しようとする課題】
【０００８】
本発明は、かかる課題の認識に基づいてなされたものであり、電波式のリモコンとの電波通信を適切に行えるようにしつつ、ペアリングの作業性を向上させた浴室システムを提供することを目的とする。
【課題を解決するための手段】
【０００９】
第１の発明は、金属を含む壁によって構成される浴室又は洗面所に設けられる浴室機器と、前記浴室機器を動作させるための制御信号を送信する電波式の遠隔リモコンと、前記浴室の外側に設けられ、前記遠隔リモコンからの前記制御信号を受信する受信部と、前記受信部から前記制御信号を受け、前記遠隔リモコンからの前記制御信号に基づいて前記浴室機器の動作を制御する制御部と、前記制御部と有線接続される有線リモコンと、を備え、前記遠隔リモコンは、ペアリングを行うためのペアリング信号を送信可能であり、前記制御部は、前記有線リモコンの操作に応じて前記遠隔リモコンからの前記ペアリング信号を受け付けるペアリング認可モードに移行し、ペアリングされた前記遠隔リモコンからの前記制御信号のみを受け付けることを特徴とする浴室システムである。
【００１０】
この浴室システムによれば、有線リモコンの操作によって制御部をペアリング認可モードに移行させることができ、作業性の悪い位置に受信部や制御部を配置した場合であっても、ペアリングの操作性を向上させることができる。また、浴室の外側に受信部が配置されているため、どの部屋から送信された遠隔リモコンの信号も受信部に受信させ易くすることができる。これにより、ペアリングをより確実に行うことができる。従って、電波式の遠隔リモコンとの電波通信を適切に行えるようにしつつ、ペアリングの作業性を向上させた浴室システムを提供することができる。
【００１１】
第２の発明は、第１の発明において、前記有線リモコンは、ペアリングを許可するか否かを報知可能なペアリング報知部を有し、前記制御部は、前記受信部において受信された前記ペアリング信号の電波強度が第１閾値を超えた場合に、ペアリングを許可するか否かを前記有線リモコンの前記ペアリング報知部に報知させることを特徴とする浴室システムである。
【００１２】
この浴室システムによれば、電波強度が第１閾値を超えた場合にペアリングを許可するか否かを有線リモコンのペアリング報知部に報知させることで、例えば、マンションなどの集合住宅において、隣人宅の遠隔リモコンなどから送信されたペアリング信号を受信し、制御部が関係の無い遠隔リモコンなどとペアリングしてしまうことを抑制することができる。
【００１３】
第３の発明は、第２の発明において、前記有線リモコンは、ペアリングを許可するか否かの操作を入力するための操作部を有し、前記制御部は、前記有線リモコンの前記操作部の操作に応じて、ペアリングの可否を決定することを特徴とする浴室システムである。
【００１４】
この浴室システムによれば、有線リモコンの操作部の操作によってペアリングの可否を決定することにより、制御部が関係の無い遠隔リモコンなどとペアリングしてしまうことをより確実に抑制することができる。
【００１５】
第４の発明は、第２又は第３の発明において、前記制御部は、前記第１閾値よりも低い第２閾値を有し、前記ペアリング認可モードにおいて、前記ペアリング信号の電波強度が前記第１閾値を複数回超えない場合に、前記第２閾値を設定し、前記第２閾値を超えた場合に、ペアリングを許可するか否かを前記有線リモコンの前記ペアリング報知部に報知させることを特徴とする浴室システムである。
【００１６】
この浴室システムによれば、制御部が第２閾値を有し、ペアリング信号の電波強度が第１閾値を複数回超えない場合に、第２閾値を設定し、第２閾値を超えた場合に、ペアリング報知部で報知を行う。これにより、ペアリングの作業性をより向上させることができる。例えば、第１閾値を超えることでペアリングするか否かを判断することで、関係の無い遠隔リモコンなどとペアリングしてしまうことを抑制できるが、壁の厚みや住宅の大きさなどの当人宅の環境によっても、受信部に到達するペアリング信号の電波強度は変わってしまう。電波強度の判定の閾値が一定であると、ペアリングを実行したいのにペアリングできない状態が続いてしまう可能性がある。そのため、ペアリングを複数回実行し、第１閾値を複数回超えない場合には、第２閾値を設定し、第２閾値を超えた場合に、ペアリングを許可できるようにする。これにより、ペアリングを実行したいのにペアリングできない状態が続いてしまうことを抑制することができる。
【００１７】
第５の発明は、第１〜第４のいずれか１つの発明において、前記有線リモコンは、ペアリングの完了を報知可能な完了報知部を有し、前記制御部は、ペアリングの完了に応じて、ペアリングの完了を前記有線リモコンの前記完了報知部に報知させることを特徴とする浴室システムである。
【００１８】
この浴室システムによれば、作業性の悪い位置に受信部や制御部を配置した場合であっても、有線リモコンの完了報知部にペアリングの完了を報知させることにより、ペアリングの完了を作業者に容易に認識させることができる。
【００１９】
第６の発明は、第１〜第５のいずれか１つの発明において、前記制御部は、ペアリングの完了に応じて前記ペアリング認可モードを自動的に終了することを特徴とする浴室システムである。
【００２０】
この浴室システムによれば、制御部が、ペアリングの完了に応じてペアリング認可モードを自動的に終了することにより、作業者の作業を減らすことができ、ペアリングの作業性をより向上させることができる。
【発明の効果】
【００２１】
本発明の態様によれば、電波式のリモコンとの電波通信を適切に行えるようにしつつ、ペアリングの作業性を向上させた浴室システムが提供される。
【図面の簡単な説明】
【００２２】
【図１】第１の実施形態に係る浴室システムを模式的に表す斜視図である。
【図２】第１の実施形態に係る浴室システムを模式的に表すブロック図である。
【図３】第１の実施形態に係る浴室システムの動作を模式的に表すフローチャートである。
【図４】第２の実施形態に係る浴室システムの動作を模式的に表すフローチャートである。
【図５】第３の実施形態に係る浴室システムの動作を模式的に表すフローチャートである。
【図６】第４の実施形態に係る浴室システムの動作を模式的に表すフローチャートである。
【発明を実施するための形態】
【００２３】
以下、本発明の実施の形態について図面を参照しつつ説明する。なお、各図面中、同様の構成要素には同一の符号を付して詳細な説明は適宜省略する。
【００２４】
（第１の実施形態）  
図１は、第１の実施形態に係る浴室システムを模式的に表す斜視図である。  
図２は、第１の実施形態に係る浴室システムを模式的に表すブロック図である。  
図１及び図２に表したように、浴室システム１０は、浴室機器１２と、遠隔リモコン１４と、受信部１６と、制御部１８と、有線リモコン２０と、を備える。
【００２５】
浴室機器１２は、金属を含む壁によって構成される浴室２又は洗面所４に設けられる。浴室システム１０は、例えば、複数の浴室機器１２を備える。但し、浴室システム１０に設けられる浴室機器１２の数は、複数に限ることなく、１つでもよい。
【００２６】
浴室２は、建築の浴室部６に設けられる。浴室２の天井には、天井裏（浴室２と浴室部６の天井面との間の空間）に通じる点検口２ａが設けられている。浴室２は、例えば、浴槽、洗い場床、壁パネル、及び天井パネルなどをユニット化した、いわゆるユニットバスやシステムバスである。浴室２では、例えば、壁パネルや天井パネルに鋼板が用いられる。このため、浴室２の内部の空間は、金属によって覆われる。洗面所４は、浴室部６に隣接する建築の洗面室部８に設けられる。洗面所４は、例えば、脱衣所であってもよい。
【００２７】
浴室システム１０は、例えば、浴室空調機器３０、掃除機器３１、給湯器３２、浴槽の排水栓３３、浴室２の照明３４、マッサージ機器３５、及び洗面所空調機器３６などを浴室機器１２として有する。また、図１では、便宜的に洗面所空調機器３６のみを浴室機器１２の一例として図示している。
【００２８】
浴室空調機器３０は、例えば、浴室２の天井に設けられる。浴室空調機器３０は、温風を吹き出して浴室２内を暖める暖房機能、風（例えば温風）を吹き出して浴室２内に吊るされた衣類等を乾燥させる乾燥機能、及び、浴室２内を換気する換気機能、の少なくともいずれかを有する。浴室空調機器３０は、例えば浴室換気暖房乾燥機である。浴室空調機器３０は、換気扇でもよい。
【００２９】
掃除機器３１は、浴室２の内部に設けられる。掃除機器３１は、例えば、浴槽の内壁に洗剤や水（湯）を散布する機器である。または、掃除機器３１は、浴室２の床（洗い場）に水や除菌水等を散布する機器でもよい。
【００３０】
給湯器３２は、例えば浴室２の外部に設けられ、浴槽や浴室２内の水栓装置に湯を供給する。排水栓３３は、浴槽に設けられる。排水栓３３が開くことで、浴槽内の水や湯が排出される。照明３４は、例えば、浴室２の天井や壁面等に設けられる照明である。
【００３１】
マッサージ機器３５は、例えば浴槽に設けられ、浴槽内の水（湯）に泡を発生させる気泡発生装置である。または、マッサージ機器３５は、浴槽内に水流を発生させる水流発生装置である。
【００３２】
洗面所空調機器３６は、例えば、洗面所４の壁面の上部に設けられる。洗面所空調機器３６は、例えば、温風を吹き出して洗面所４内を暖める暖房機能、涼風を吹き出す涼風機能、及び温風を吹き出して髪などを乾かし易くするドライヤ機能の少なくともいずれかを有する。洗面所空調機器３６は、例えば、換気扇でもよい。
【００３３】
但し、浴室機器１２は、これらに限ることなく、浴室２又は洗面所４に設けられる任意の機器でよい。浴室機器１２は、例えば、浴槽内の使用者の肩に向けて湯を吐出する吐水装置（肩湯装置）などであってもよい。
【００３４】
遠隔リモコン１４は、各浴室機器１２を動作させるための制御信号を送信する電波式のリモコンである。遠隔リモコン１４は、使用者などからの操作を受け付けるための操作部４０を有する。使用者は、遠隔リモコン１４の操作部４０を操作することにより、各浴室機器１２の動作を操作することができる。操作部４０は、複数のボタンやスイッチなどで構成してもよいし、タッチパネルなどで構成してもよい。操作部４０は、各浴室機器１２の種々の動作を制御可能な任意の構成でよい。
【００３５】
浴室機器１２が複数設けられた場合、遠隔リモコン１４は、複数の浴室機器１２の少なくともいずれかを動作させる。遠隔リモコン１４は、各浴室機器１２のそれぞれの動作を操作できるようにしてもよい。浴室システム１０は、各浴室機器１２に対応した複数の遠隔リモコン１４を有してもよい。
【００３６】
遠隔リモコン１４は、例えば浴室２の外部で用いられる。遠隔リモコン１４は、例えば、リビングルームやキッチンで用いられる。これにより、リビングやキッチンなどの外部の部屋から各浴室機器１２の動作を操作することができる。浴室システム１０では、例えば、使用者が、リビングルームなどから遠隔リモコン１４を操作することにより、浴室空調機器３０及び洗面所空調機器３６を動作させる。これにより、使用者に浴室２や洗面所４に逐一向かわせる手間をかけさせることなく、温度差を低下させることができる。なお、遠隔リモコン１４は、持ち運び可能であってもよいし、浴室２の外部の部屋などに設置してもよい。
【００３７】
受信部１６は、浴室２の外側に設けられ、遠隔リモコン１４からの制御信号を受信する。また、受信部１６は、例えば、浴室２の外側において、さらに浴室機器１２の金属を含む筐体の外側に設けられる。例えば、浴室機器１２の筐体が、樹脂などの電波を透過可能な材料で形成されている場合などには、浴室２の外側に設置された浴室機器１２の内部に受信部１６を設けてもよい。受信部１６は、制御部１８と接続されている。受信部１６は、遠隔リモコン１４から送信された電波を受信すると、その電波に含まれる無線信号の制御信号を電気信号の制御信号に変換し、変換後の制御信号を制御部１８に入力する。
【００３８】
受信部１６は、例えば、浴室２の壁よりも上方に配置される。換言すれば、受信部１６は、浴室２の天井の上に配置される。但し、受信部１６の位置は、これに限ることなく、金属を含む浴室２や各浴室機器１２の影響を受けることなく遠隔リモコン１４からの信号を受信することができる任意の位置でよい。
【００３９】
制御部１８は、受信部１６から制御信号を受け、遠隔リモコン１４からの制御信号に基づいて、各浴室機器１２の動作を制御する。これにより、使用者の遠隔リモコン１４の操作に基づいて、各浴室機器１２が動作する。
【００４０】
この例において、制御部１８は、各浴室機器１２及び受信部１６と別体に設けられている。制御部１８は、例えば、各浴室機器１２及び受信部１６と有線を介して接続されることにより、受信部１６から制御信号を受け、制御信号に基づいて各浴室機器１２の動作を制御する。制御部１８は、例えば、受信部１６と同様に、浴室２の天井の上に配置される。但し、制御部１８の位置は、これに限ることなく、浴室２又は洗面所４の任意の位置でよい。
【００４１】
なお、制御部１８の構成は、上記に限定されるものではない。制御部１８は、例えば、各浴室機器１２のいずれかと一体的に設けてもよいし、受信部１６と一体的に設けてもよい。例えば、制御部１８が浴室機器１２に一体的に組み込まれている場合には、制御部１８は、浴室機器１２を介して受信部１６から制御信号を受けてもよい。このように、制御部１８は、受信部１６から直接的に制御信号を受ける構成でもよいし、他の機器などを介して受信部１６からの制御信号を受ける構成でもよい。
【００４２】
また、浴室システム１０は、例えば、各浴室機器１２のそれぞれに対応した複数の制御部１８を有してもよい。この場合、受信部１６は、複数の制御部１８のそれぞれに遠隔リモコン１４の制御信号を入力してもよいし、複数の制御部１８のいずれか１つのみに遠隔リモコン１４の制御信号を入力してもよい。
【００４３】
電波通信には、例えば、３００メガヘルツ（ＭＨｚ）以上５ギガヘルツ（ＧＨｚ）以下程度の周波数帯域の電波が用いられる。遠隔リモコン１４と受信部１６との間の電波通信には、例えば２．４ＧＨｚの電波が用いられる。受信部１６と制御部１８との間の通信は、有線通信であっても無線通信（例えば電波通信）であってもよい。制御部１８とその他の浴室機器１２との間の通信は、有線通信であっても無線通信（例えば電波通信）であってもよい。
【００４４】
有線リモコン２０は、制御部１８と有線接続される。有線リモコン２０は、例えば、浴室２内の壁面又は洗面所４内の壁面に設けられる。有線リモコン２０は、各浴室機器１２を動作させるための制御信号を制御部１８に送信する。例えば、浴室システム１０が、各浴室機器１２のそれぞれに対応した複数の制御部１８を有する場合などには、浴室システム１０は、各浴室機器１２及び各制御部１８のそれぞれに対応した複数の有線リモコン２０を有してもよい。有線リモコン２０は、例えば、浴室機器１２などを介して制御部１８と有線接続してもよい。
【００４５】
制御部１８は、遠隔リモコン１４からの制御信号に基づいて各浴室機器１２の動作を制御するとともに、有線リモコン２０からの制御信号によっても、各浴室機器１２の動作を制御する。これにより、浴室システム１０では、使用者がリビングなどにいる場合には、遠隔リモコン１４を操作することによって各浴室機器１２の動作を操作することができ、使用者が浴室２又は洗面所４にいる場合には、有線リモコン２０を操作することによって各浴室機器１２の動作を操作することができる。例えば、複数の浴室機器１２のうちの１つに対応させて有線リモコン２０を設け、１つの浴室機器１２のみを有線リモコン２０で操作し、他の浴室機器１２を遠隔リモコン１４で操作する構成などとしてもよい。
【００４６】
有線リモコン２０は、報知部５０（ペアリング報知部、完了報知部）と、操作部５２と、を有する。報知部５０は、使用者などに対して種々の報知を行う。報知部５０は、例えば、液晶ディスプレイなどの表示装置である。報知部５０は、例えば、光によって報知を行う発光素子や、音声によって報知を行うスピーカなどでもよい。報知部５０は、使用者などに対して所定の報知を行うことが可能な任意の部材でよい。
【００４７】
操作部５２は、使用者などからの操作を受け付ける。使用者は、有線リモコン２０の操作部５２を操作することにより、各浴室機器１２の動作を操作することができる。操作部５２は、複数のボタンやスイッチなどで構成してもよいし、タッチパネルなどで構成してもよい。報知部５０に表示装置を用い、操作部５２にタッチパネルを用いる場合には、これらを一体的に構成してもよい。操作部５２は、各浴室機器１２の種々の動作を制御可能な任意の構成でよい。
【００４８】
電波を用いて通信を行う遠隔リモコン１４では、例えば、隣人宅の別の遠隔リモコン１４などから送信された制御信号による誤動作を抑制するために、遠隔リモコン１４と制御部１８とを相互に関連付けるペアリングと呼ばれる作業を行う必要がある。
【００４９】
遠隔リモコン１４は、ペアリングを行うためのペアリング信号を送信可能である。遠隔リモコン１４は、例えば、操作部４０において所定の操作が行われることにより、ペアリング信号を送信する。ペアリング信号は、例えば、遠隔リモコン１４を識別するための識別情報を含む。
【００５０】
制御部１８は、有線リモコン２０の操作部５２における所定の操作に応じて遠隔リモコン１４からのペアリング信号を受け付けるペアリング認可モードに移行する。制御部１８は、例えば、ペアリング認可モードの状態で受信部１６からペアリング信号が入力された場合に、ペアリング信号に含まれる識別情報を記憶する。これにより、制御部１８と遠隔リモコン１４とのペアリングが行われる。
【００５１】
制御部１８は、ペアリングされた遠隔リモコン１４からの制御信号のみを受け付ける。遠隔リモコン１４は、制御信号にも自身の識別情報を含める。制御部１８は、制御信号に含まれる識別信号と記憶した識別情報とが一致する場合にのみ、その制御信号を受け付ける。これにより、隣人宅の別の遠隔リモコン１４からの制御信号などによる誤動作を抑制することができる。
【００５２】
図３は、第１の実施形態に係る浴室システムの動作を模式的に表すフローチャートである。  
浴室システム１０において遠隔リモコン１４と制御部１８とをペアリングする場合には、まず、有線リモコン２０の操作部５２で所定の操作を行うことにより、ペアリング認可モードへの移行を制御部１８に指示する。
【００５３】
制御部１８は、有線リモコン２０からのペアリング認可モードへの移行指示の入力に応じて、各浴室機器１２の動作を制御する通常の動作モードからペアリング認可モードに移行する（図３のステップＳ１０１）。
【００５４】
制御部１８をペアリング認可モードに移行させた後、遠隔リモコン１４の操作部４０で所定の操作を行うことにより、遠隔リモコン１４からペアリング信号を送信する。
【００５５】
制御部１８は、受信部１６が遠隔リモコン１４からのペアリング信号を受信したか否かを判断する。（図３のステップＳ１０２）。ペアリング信号を受信した場合、制御部１８は、ペアリング認可モードであるため、ペアリング信号を送信した遠隔リモコン１４とのペアリングを行う。制御部１８は、例えば、ペアリング信号に含まれる識別情報を記憶することにより、ペアリングを行う。これにより、制御部１８は、遠隔リモコン１４とのペアリングを成立させる（図３のステップＳ１０３）。
【００５６】
一方、制御部１８は、ペアリング信号を受信しない場合、ペアリングを行わずに、ペアリングを不成立とする（図３のステップＳ１０４）。制御部１８は、例えば、ペアリング認可モードに移行した後、ペアリング信号を所定時間受信しない場合に、ペアリングを不成立とする。また、制御部１８は、ペアリング認可モードに移行していない状態でペアリング信号を受信した場合にも、ペアリングを不成立とする。これにより、意図しない遠隔リモコン１４などとの不適切なペアリングを抑制することができる。
【００５７】
以上、説明したように、本実施形態に係る浴室システム１０では、有線リモコン２０の操作によって制御部１８をペアリング認可モードに移行させることができ、作業性の悪い位置に受信部１６や制御部１８を配置した場合であっても、ペアリングの操作性を向上させることができる。また、浴室２の外側に受信部１６が配置されているため、どの部屋から送信された遠隔リモコン１４の信号も受信部１６に受信させ易くすることができる。これにより、遠隔リモコン１４によって各浴室機器１２を適切に操作できるとともに、ペアリングをより確実に行うことができる。従って、電波式の遠隔リモコン１４との電波通信を適切に行えるようにしつつ、ペアリングの作業性を向上させた浴室システム１０を提供することができる。
【００５８】
（第２の実施形態）  
図４は、第２の実施形態に係る浴室システムの動作を模式的に表すフローチャートである。  
なお、上記実施形態と機能・構成上実質的に同じものについては、同符号を付し、詳細な説明は、省略する。  
図４に表したように、この例においては、まず、上記第１の実施形態と同様に、有線リモコン２０の操作によるペアリング認可モードへの移行指示と、制御部１８のペアリング認可モードへの移行と、遠隔リモコン１４の操作によるペアリング信号の送信と、を行う（図４のステップＳ２０１）。
【００５９】
制御部１８は、受信部１６がペアリング信号を受信すると、受信されたペアリング信号の電波強度が第１閾値を超えたか否かを判定する（図４のステップＳ２０２）。そして、制御部１８は、ペアリング信号の電波強度が第１閾値を超えた場合に、ペアリングを許可するか否かを有線リモコン２０の報知部５０に報知させる（図４のステップＳ２０３）。
【００６０】
例えば、報知部５０が表示装置である場合には、報知部５０は、ペアリングを許可するか否かを使用者などに問い合わせる文字列を画面に表示することによって、報知を行う。このように、報知部５０は、ペアリングを許可するか否かを報知可能なペアリング報知部として機能する。報知部５０による報知の態様は、上記に限ることなく、ペアリングを許可するか否かを報知可能な任意の態様でよい。
【００６１】
一方、制御部１８は、ペアリング信号の電波強度が第１閾値を超えなかった場合、上記の報知を行わない（図４のステップＳ２０４）。なお、この場合には、例えば、第１閾値を超えなかったことなどを報知部５０で報知し、ペアリング信号の再送を促すようにしてもよい。また、例えば、第１閾値を超えないと判定したことに応答して、制御部１８のペアリング認可モードを終了するようにしてもよい。例えば、第１閾値を超えない場合、ペアリング認可モードへの移行から所定時間経過後にペアリング認可モードを終了することにより、ペアリング認可モードの期間中にペアリング信号を数回受信できるようにしてもよい。
【００６２】
ペアリングの作業者は、報知部５０の報知を基に、ペアリング対象の遠隔リモコン１４か否かを判定する。そして、作業者は、有線リモコン２０の操作部５２を操作することにより、ペアリングの可否を決定する。このように、操作部５２は、ペアリングを許可するか否かの操作を入力するための操作部として機能する。
【００６３】
制御部１８は、操作部５２の操作に応じて、ペアリングの可否を決定する（図４のステップＳ２０５）。制御部１８は、操作部５２によってペアリングの許可が操作された場合、ペアリング信号を送信した遠隔リモコン１４とのペアリングを行い、遠隔リモコン１４とのペアリングを成立させる（図４のステップＳ２０６）。
【００６４】
一方、制御部１８は、操作部５２によってペアリングの拒否が操作された場合、ペアリングを行わずに、ペアリングを不成立とする（図４のステップＳ２０７）。
【００６５】
以上、説明したように、本実施形態に係る浴室システム１０では、電波強度が第１閾値を超えた場合にペアリングを許可するか否かを有線リモコン２０の報知部５０に報知させることで、例えば、マンションなどの集合住宅において、隣人宅の遠隔リモコン１４などから送信されたペアリング信号を受信し、制御部１８が関係の無い遠隔リモコン１４などとペアリングしてしまうことを抑制することができる。
【００６６】
また、浴室システム１０では、有線リモコン２０の操作部５２の操作によってペアリングの可否を決定することにより、制御部１８が関係の無い遠隔リモコン１４などとペアリングしてしまうことをより確実に抑制することができる。
【００６７】
（第３の実施形態）  
図５は、第３の実施形態に係る浴室システムの動作を模式的に表すフローチャートである。  
図５において、ステップＳ３０１〜Ｓ３０６は、図４に関して説明したステップＳ２０１〜Ｓ２０３、及びステップＳ２０５〜Ｓ２０７と実質的に同じであるから、詳細な説明は省略する。
【００６８】
図５に表したように、この例において、制御部１８は、ペアリング信号の電波強度が第１閾値を超えないと判定した場合に、続いて、第１閾値以下のペアリング信号を複数回以上受信したか否かを判定する（図５のステップＳ３０７）。
【００６９】
制御部１８は、複数回未満であると判定した場合には、ステップＳ３０２に戻り、次のペアリング信号の送信を待機する。一方、制御部１８は、複数回以上であると判定した場合、ペアリング信号の電波強度の判定の閾値を第１閾値から変更し、第１閾値よりも低い第２閾値に設定する（図５のステップＳ３０８）。
【００７０】
このように、制御部１８は、第１閾値よりも低い第２閾値を有する。閾値を変更するペアリング信号の受信回数は、例えば、３回である。制御部１８は、例えば、第１閾値以下の電波強度のペアリング信号を３回受信した場合に、閾値を第１閾値から第２閾値に変更する。
【００７１】
制御部１８は、第２閾値を設定した後、再びペアリング信号を受信するまで待機する（図５のステップＳ３０９）。そして、制御部１８は、受信部１６が再びペアリング信号を受信すると、受信されたペアリング信号の電波強度が第２閾値を超えたか否かを判定する（図５のステップＳ３１０）。
【００７２】
制御部１８は、第２閾値を超えたと判定した場合、ステップＳ３０３の処理に移行し、ペアリングを許可するか否かを有線リモコン２０の報知部５０に報知させる。以下、第１閾値を超えた場合と同様の処理を実行する。
【００７３】
一方、制御部１８は、ペアリング信号の電波強度が第２閾値を超えなかった場合、報知部５０でのペアリングを許可するか否かの報知を行わないようにする（図５のステップＳ３１１）。
【００７４】
以上、説明したように、本実施形態に係る浴室システム１０では、制御部１８が第２閾値を有し、ペアリング信号の電波強度が第１閾値を複数回超えない場合に、第２閾値を設定し、第２閾値を超えた場合に、報知部５０で報知を行う。これにより、ペアリングの作業性をより向上させることができる。例えば、第１閾値を超えることでペアリングするか否かを判断することで、関係の無い遠隔リモコン１４などとペアリングしてしまうことを抑制できるが、壁の厚みや住宅の大きさなどの当人宅の環境によっても、受信部１６に到達するペアリング信号の電波強度は変わってしまう。電波強度の判定の閾値が一定であると、ペアリングを実行したいのにペアリングできない状態が続いてしまう可能性がある。そのため、ペアリングを複数回実行し、第１閾値を複数回超えない場合には、第２閾値を設定し、第２閾値を超えた場合に、ペアリングを許可できるようにする。これにより、ペアリングを実行したいのにペアリングできない状態が続いてしまうことを抑制することができる。
【００７５】
（第４の実施形態）  
図６は、第４の実施形態に係る浴室システムの動作を模式的に表すフローチャートである。  
図６において、ステップＳ４０１〜Ｓ４０４は、図３に関して説明したステップＳ１０１〜Ｓ１０４と実質的に同じであるから、詳細な説明は省略する。
【００７６】
図６に表したように、この例において、制御部１８は、遠隔リモコン１４とのペアリングを成立させ、ペアリングが完了した後、ペアリングの完了に応じて、ペアリングの完了を有線リモコン２０の報知部５０に報知させる（図６のステップＳ４０５）。換言すれば、制御部１８は、ペアリングの成立を報知部５０に報知させる。
【００７７】
例えば、報知部５０が表示装置である場合には、報知部５０は、ペアリングの完了を表す文字列を画面に表示することによって、報知を行う。このように、報知部５０は、ペアリングの完了を報知可能な完了報知部としても機能する。報知部５０による報知の態様は、上記に限ることなく、ペアリングの完了を報知可能な任意の態様でよい。また、この例では、ペアリング報知部と完了報知部とを同じ報知部５０で構成している。これに限ることなく、ペアリング報知部と完了報知部とは、それぞれ別の部材で構成してもよい。
【００７８】
また、制御部１８は、ペアリングの完了に応じて、ペアリング認可モードを自動的に終了する（図６のステップＳ４０６）。
【００７９】
また、制御部１８は、ペアリングを不成立とした場合に、ペアリングの不成立を報知部５０に報知させる（図６のステップＳ４０７）。
【００８０】
以上、説明したように、本実施形態に係る浴室システム１０では、作業性の悪い位置に受信部１６や制御部１８を配置した場合であっても、有線リモコン２０の報知部５０にペアリングの完了を報知させることにより、ペアリングの完了を作業者に容易に認識させることができる。
【００８１】
また、本実施形態に係る浴室システム１０では、制御部１８が、ペアリングの完了に応じてペアリング認可モードを自動的に終了することにより、作業者の作業を減らすことができ、ペアリングの作業性をより向上させることができる。
【００８２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室システムが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８３】
２ 浴室、  ４ 洗面所、  ６ 浴室部、  ８ 洗面室部、  １０ 浴室システム、  １２ 浴室機器、  １４ 遠隔リモコン、  １６ 受信部、  １８ 制御部、  ２０ 有線リモコン、  ３０ 浴室空調機器、  ３１ 掃除機器、  ３２ 給湯器、  ３３ 排水栓、  ３４ 照明、  ３５ マッサージ機器、  ３６ 洗面所空調機器、  ４０ 操作部、  ５０ 報知部、  ５２ 操作部
【図１】
2020016386.tif 000003
【図２】
2020016386.tif 000004
【図３】
2020016386.tif 000005
【図４】
2020016386.tif 000006
【図５】
2020016386.tif 000007
【図６】
2020016386.tif 000008